(57)【特許請求の範囲】
【請求項１】
第一照明ユニットと、
前記第一照明ユニットに隣り合う第二照明ユニットと、
前記第一照明ユニット及び前記第二照明ユニットに電力を供給する電源部と、
を備え、
前記第一照明ユニット及び前記第二照明ユニットの各々は、下へ向けて光を放射する光放射部と、前記光放射部の裏面側にあるヒートシンクと、前記ヒートシンクの上を全体的に覆う天板部と、を備え、
前記第一照明ユニットの前記天板部と前記第二照明ユニットの前記天板部との間に、通気部となる隙間があり、
前記電源部は、前記第一照明ユニットの前記天板部に支持される第一部位と、前記第二照明ユニットの前記天板部に支持される第二部位と、前記通気部の上にある第三部位と、
前記第一照明ユニットと前記第二照明ユニットの各々が有する前記ヒートシンクのベース部が隣接する距離Ｌ１は、前記通気部の幅Ｌ２以上の構成と、
を備える照明装置。
【請求項２】
上から見たときに前記電源部と前記通気部とが交差する請求項１に記載の照明装置。
【請求項３】
前記天板部は、平坦な平坦部と、前記平坦部に対して傾斜した第一傾斜部とを備え、
前記第一傾斜部は、少なくとも部分的に前記電源部の下にある請求項１または請求項２に記載の照明装置。
【請求項４】
前記第一傾斜部は、前記平坦部との境界部分から斜め下に向かって傾斜する請求項３に記載の照明装置。
【請求項５】
上から見たときに前記電源部と前記第一傾斜部とが交差する請求項３または請求項４に記載の照明装置。
【請求項６】
前記天板部は、平坦な平坦部と、前記平坦部に対して傾斜した第二傾斜部と、空気が通過可能な開口部とを備え、
上から見たときに、前記第二傾斜部と前記開口部とが重なりを有する請求項１から請求項５のいずれか一項に記載の照明装置。
【請求項７】
前記ヒートシンクは、ベース部と、前記ベース部の上面から突出する複数のフィンとを備える請求項１から請求項６のいずれか一項に記載の照明装置。
【請求項８】
上から見たときに、前記天板部は、前記ベース部の全体を覆う請求項７に記載の照明装置。
【請求項９】
前記複数のフィンのうちの少なくとも一部のフィンは、前記ベース部の外縁より外側へ突出した突出部を備える請求項７または請求項８に記載の照明装置。
【請求項１０】
上から見たときに、少なくとも一部の前記突出部と前記通気部とが重なりを有する請求項９に記載の照明装置。
【請求項１１】
前記天板部は、少なくとも一部の前記突出部の鉛直上方にある開口部を備える請求項９または請求項１０に記載の照明装置。
【請求項１２】
前記電源部は、その外面にて突出するフィンを備える請求項１から請求項１１のいずれか一項に記載の照明装置。
【発明の詳細な説明】
【技術分野】
【０００１】
本発明は、照明装置に関する。
【背景技術】
【０００２】
ＬＥＤ（Ｌｉｇｈｔ  Ｅｍｉｔｔｉｎｇ  Ｄｉｏｄｅ）のような発光素子を光源に用いた照明装置が広く用いられている。大光束化した近年の照明装置では、発光素子の温度が高くなりやすい。発光素子の発熱により発光素子の温度が高くなると、エネルギー消費効率が低下したり、発光素子の寿命が短くなったりする。そのため、発光素子の温度が高くならないように、発光素子の熱を散逸させる放熱性を良好にすることが望まれている。特に、天井に取り付けられる高天井用照明器具は、気温の高い環境に置かれるので、発光素子の温度上昇を抑制することが難しい。
【０００３】
下記特許文献１に開示された従来の照明装置は、以下のように構成されている。複数の照明ユニットと、当該複数の照明ユニットを固定する固定フレームとを備える。各々照明ユニットは、基板と、フィンベース部と、複数の放熱フィンとを具備する。基板は、一方の面に発光素子が実装される。フィンベース部は、基板の他方の面が設置される第１面を有し、当該第１面に設置された基板を支持する。放熱フィンは、フィンベース部の第１面の裏面の第２面に互いに間隔を空けて立設される平面形状を有する。
【先行技術文献】
【特許文献】
【０００４】
【特許文献１】特開２０１３−２０１０８０号公報
【発明の概要】
【発明が解決しようとする課題】
【０００５】
上述した従来の照明装置では、フィンベース部の上面及び放熱フィンの表面に埃あるいは油分等の汚れが付着することで、放熱効果が低下する。特に、高天井用照明器具などは、高所に取り付けられているため、フィンベース部及び放熱フィンの頻繁な清掃を行うことが困難である。それゆえ、フィンベース部の上面及び放熱フィンの表面に埃あるいは油分等の汚れが多く堆積することで、放熱効率が大きく低下する可能性がある。
【０００６】
本発明は、上述のような課題を解決するためになされたもので、ヒートシンクの汚れを軽減でき、当該ヒートシンクの放熱効率の低下を抑制できるとともに、電源部を良好に冷却できる照明装置を提供することを目的とする。
【課題を解決するための手段】
【０００７】
本発明に係る照明装置は、第一照明ユニットと、第一照明ユニットに隣り合う第二照明ユニットと、第一照明ユニット及び第二照明ユニットに電力を供給する電源部と、を備え、第一照明ユニット及び第二照明ユニットの各々は、下へ向けて光を放射する光放射部と、光放射部の裏面側にあるヒートシンクと、ヒートシンクの上を全体的に覆う天板部と、を備え、第一照明ユニットの天板部と第二照明ユニットの天板部との間に、通気部となる隙間があり、電源部は、第一照明ユニットの天板部に支持される第一部位と、第二照明ユニットの天板部に支持される第二部位と、通気部の上にある第三部位と、第一照明ユニットと第二照明ユニットの各々が有するヒートシンクのベース部が隣接する距離Ｌ１は、通気部の幅Ｌ２以上の構成と、を備えるものである。
【発明の効果】
【０００８】
本発明の照明装置によれば、第一照明ユニット及び第二照明ユニットの各々が、ヒートシンクの上を全体的に覆う天板部を備え、第一照明ユニットの天板部と第二照明ユニットの天板部との間に、通気部となる隙間があることで、ヒートシンクの汚れを軽減でき、当該ヒートシンクの放熱効率の低下を抑制できるとともに、電源部を良好に冷却することが可能となる。
【図面の簡単な説明】
【０００９】
【図１】実施の形態１の照明装置を示す斜視図である。
【図２】実施の形態１の照明装置を示す上面図である。
【図３】照明装置の斜視図である。
【図４】照明装置の斜視図である。
【図５】図３に示す照明装置の下面図である。
【図６】図３に示す照明装置の分解斜視図である。
【図７】実施の形態１における光源部の斜視図及び分解斜視図である。
【図８】実施の形態２の照明装置を示す斜視図である。
【図９】実施の形態２の照明装置を示す上面図である。
【図１０】実施の形態２の照明装置を示す断面側面図である。
【図１１】実施の形態２の照明装置を示す断面側面図である。
【図１２】実施の形態３の照明装置を示す斜視図である。
【図１３】実施の形態４の照明装置を示す斜視図である。
【発明を実施するための形態】
【００１０】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１１】
実施の形態１．
図１は、実施の形態１の照明装置１Ａを示す斜視図である。図２は、実施の形態１の照明装置１Ａを示す上面図、すなわち上から見た図である。これらの図に示す実施の形態１の照明装置１Ａは、屋内または屋外の照明器具として好ましく使用できる。実施の形態１の照明装置１Ａは、特に、例えば工場、倉庫、体育館、競技施設などの高天井用照明器具として好ましく使用できる。実施の形態１の照明装置１Ａは、天井の近くに取り付けられ、下へ向けて光を放射することで、天井の下の空間を照明する用途に好ましく使用できる。以下の説明では、照明装置１Ａが使用されるときの姿勢を基準として、上及び下を定める。
【００１２】
図１に示すように、照明装置１Ａは、第一照明ユニット２、第二照明ユニット３、及び電源部４を備える。第二照明ユニット３は、第一照明ユニット２に隣り合って配置される。第二照明ユニット３は、第一照明ユニット２と同一または類似の構成を有する。第一照明ユニット２及び第二照明ユニット３の各々は、光放射部５、ヒートシンク６、天板部７、及びフレーム８を備える。
【００１３】
光放射部５は、下へ向けて光を放射する。光放射部５の詳細については後述する。ヒートシンク６は、光放射部５の裏面側すなわち上側にある。ヒートシンク６は、光放射部５で発生した熱を周囲の空気へ散逸すなわち放熱させる。ヒートシンク６は、ベース部６ａ及び複数のフィン６ｂを備える。ベース部６ａは、上面及び下面を備える。ベース部６ａの形状は、板状でもよい。ベース部６ａの下面は光放射部５の裏面に接する。照明装置１Ａの使用時には、通常、ベース部６ａの上面及び下面が水平になる。
【００１４】
フィン６ｂは、ベース部６ａの上面から突出する。フィン６ｂは、ベース部６ａの上面に対して垂直である。本実施の形態におけるフィン６ｂは、板状の形状を有する。複数のフィン６ｂは、互いに平行に配置される。このような構成に限らず、フィン６ｂは、ピン形の形状を有するピンフィンでもよい。光放射部５で発生した熱は、ベース部６ａへ熱伝導し、ベース部６ａからフィン６ｂへさらに熱伝導する。ベース部６ａ及びフィン６ｂの表面から周囲の空気へ熱が散逸する。ヒートシンク６によって表面積を大きくすることで、光放射部５で発生した熱を効率良く散逸させることができる。その結果、光放射部５の温度を低くできるので、光放射部５のエネルギー消費効率すなわち発光効率が向上するとともに、光放射部５の寿命を長くできる。
【００１５】
天板部７は、ヒートシンク６の上を全体的に覆う。天板部７とヒートシンク６との間には、空気が通過できる空間がある。本実施の形態であれば、天板部７を備えたことで、以下の効果が得られる。照明装置１Ａの上から降りかかる埃あるいは油分等を天板部７で受けることで、埃あるいは油分等からなる汚れがヒートシンク６のベース部６ａの上面及び複数のフィン６ｂの表面に付着及び堆積することを抑制できる。上記汚れの影響によるヒートシンク６の放熱効率の低下を確実に軽減できる。照明装置１Ａが天井付近のような高所に取り付けられた場合、ヒートシンク６の頻繁な清掃を行うことが困難である。ヒートシンク６を頻繁に清掃しなくても、上記汚れがヒートシンク６のベース部６ａの上面及び複数のフィン６ｂの表面に堆積することを抑制できるので、光放射部５の温度を低くすることが可能となる。
【００１６】
本実施の形態では、上から見たときに、天板部７は、ヒートシンク６のベース部６ａの全体を覆う（図２参照）。水平または水平に近いベース部６ａの上面には、上から降りかかる埃あるいは油分等の汚れがそのまま堆積してしまう。ベース部６ａの表面から周囲の空気へも熱が散逸するので、ヒートシンク６の放熱効率を維持するためには、ベース部６ａの上面の汚れの堆積を抑制することが重要である。本実施の形態であれば、上から見たときに天板部７がヒートシンク６のベース部６ａの全体を覆うことで、照明装置１Ａの上から降りかかる埃あるいは油分等がベース部６ａの上面に落ちることを確実に抑制できる。それゆえ、ベース部６ａの上面に汚れが堆積することをより確実に抑制できる。本発明では、上から見たときに、天板部７は、ヒートシンク６のベース部６ａの必ずしも全体を覆わなくてもよい。上から見たときに、天板部７は、ヒートシンク６のベース部６ａの面積の８０％以上を覆うことが望ましく、ヒートシンク６のベース部６ａの面積の９０％以上を覆うことがより望ましい。そのようにすることで、上述した効果と類似の効果が得られる。
【００１７】
フレーム８は、光放射部５、ヒートシンク６、及び天板部７を保持する。光放射部５、ヒートシンク６、及び天板部７は、フレーム８に対して固定されている。
【００１８】
電源部４は、第一照明ユニット２及び第二照明ユニット３に電力を供給する。電源部４は、交流電力を入力として、光放射部５を点灯させる直流電力を生成する電源回路を内蔵する。本実施の形態の照明装置１Ａは、第一照明ユニット２に電力を供給する電源部４と、第二照明ユニット３に電力を供給する電源部４との、二つの電源部４を備える。換言すれば、第一照明ユニット２に電力を供給する電源部４と、第二照明ユニット３に電力を供給する電源部４とが別体になっている。このような構成に限らず、第一照明ユニット２に電力を供給する電源部４と、第二照明ユニット３に電力を供給する電源部４とが一体的に設けられていてもよい。すなわち、第一照明ユニット２と第二照明ユニット３との双方に電力を供給する一つの電源部４が備えられる構成でもよい。
【００１９】
実施の形態１の照明装置１Ａは、支持部材９を備える。支持部材９は、第一照明ユニット２のフレーム８を支持する第一支持部９ａと、第二照明ユニット３のフレーム８を支持する第二支持部９ｂと、第一支持部９ａと第二支持部９ｂとの間を連結する連結部９ｃとを備える。支持部材９が第一照明ユニット２及び第二照明ユニット３を保持することで、第一照明ユニット２と第二照明ユニット３との間の相対的な位置関係が固定される。本実施の形態では、第一照明ユニット２のフレーム８と第一支持部９ａとの間、及び、第二照明ユニット３のフレーム８と第二支持部９ｂとの間は、ボルト１０により固定されているが、例えば溶接のような他の固定方法で固定されてもよい。支持部材９を天井等に固定することで、照明装置１Ａを天井等に取り付けることができる。なお、図２では、支持部材９については、第一支持部９ａ及び第二支持部９ｂの途中の位置で切断した断面図としている。このため、図２には、支持部材９の上面が表れていない。
【００２０】
図２に示すように、照明装置１Ａは、第一照明ユニット２の天板部７と第二照明ユニット３の天板部７との間に、通気部１１を備える。通気部１１は、第一照明ユニット２の天板部７と第二照明ユニット３の天板部７との間に形成される隙間である。本実施の形態では、上から見たときに、第一照明ユニット２及び第二照明ユニット３の各々の形状は、正方形または長方形である。上から見たときに、通気部１１の形状は、第一照明ユニット２の一辺と、第二照明ユニット３の一辺との間に形成される、細長い形状となる。
【００２１】
各々の電源部４は、第一照明ユニット２の天板部７に支持される第一部位４ａと、第二照明ユニット３の天板部７に支持される第二部位４ｂと、通気部１１の上にある第三部位４ｃとを備える。第一部位４ａ及び第二部位４ｂを電源部４が備えることで、電源部４の重量は、第一照明ユニット２の天板部７と、第二照明ユニット３の天板部７とに分散される。これにより、照明装置１Ａ全体としての重量バランスを良好にできる。通気部１１の上にある第三部位４ｃを電源部４が備えることで、以下の効果が得られる。電源部４の第三部位４ｃの下面が空気に触れることで、当該下面から空気へ熱を効率良く散逸させることができる。第一照明ユニット２及び第二照明ユニット３のヒートシンク６から熱を受けることで生ずる上昇気流が、通気部１１を通過し、電源部４の表面に沿って流れる。電源部４の表面に沿って流れる気流により、電源部４の表面から空気へ熱を効率良く散逸させることができる。これらのことから、電源部４の冷却を良好にでき、電源部４の過熱を確実に抑制できる。
【００２２】
第一照明ユニット２と、第二照明ユニット３との間には、空気が通れる隙間がある。光放射部５より下の空間から、第一照明ユニット２と第二照明ユニット３との間の隙間を通って、通気部１１へ向かって空気が上昇できる。これにより、通気部１１を通る上昇気流をより円滑に流れさせることが可能となる。
【００２３】
本実施の形態では、上から見たときに、以下のようになる。電源部４と通気部１１とが交差する。電源部４は、図２中の左右方向を長手方向とする形状を有する。通気部１１は、図２中の上下方向を長手方向とする形状を有する。電源部４の長手軸と通気部１１の長手軸とが交差する。上記の構成によれば、通気部１１を通過した上昇気流が電源部４の側面に沿って流れる。それゆえ、通気部１１による電源部４の冷却効果をさらに向上できる。
【００２４】
本実施の形態では、上から見たときに、以下のようになる。各々の電源部４は、長方形を呈する。各々の電源部４は、互いに平行に配置されている。一方の電源部４と、他方の電源部４との間には、空気が通れる隙間がある。ヒートシンク６から通気部１１を通過した上昇気流が当該隙間を流れることで、電源部４の冷却効果をさらに向上できる。
【００２５】
第一照明ユニット２及び第二照明ユニット３の各々の天板部７は、平坦な平坦部７ａと、第一傾斜部７ｂと、第二傾斜部７ｃとを備える。平坦部７ａは、ヒートシンク６のベース部６ａに平行になる。平坦部７ａは、照明装置１Ａの使用時に、水平になる。第一傾斜部７ｂ及び第二傾斜部７ｃは、平坦部７ａに対して傾斜している。第一傾斜部７ｂ及び第二傾斜部７ｃは、照明装置１Ａの使用時に、水平面に対して傾斜する。
【００２６】
天板部７は、１枚の金属板を加工することで形成されたものでもよい。第一傾斜部７ｂ及び第二傾斜部７ｃは、天板部７を形成する金属板を部分的に曲げることで形成されたものでもよい。
【００２７】
第一傾斜部７ｂは、少なくとも部分的に、電源部４の下にある。第一傾斜部７ｂは、平坦部７ａとの境界部分７ｄから斜め下に向かって傾斜する。通気部１１の少なくとも一部は、第一照明ユニット２の天板部７の第一傾斜部７ｂと、第二照明ユニット３の天板部７の第一傾斜部７ｂとの間に形成される。第一傾斜部７ｂは、通気部１１から境界部分７ｄへ向かって、斜め上に傾斜する。本実施の形態であれば、天板部７が第一傾斜部７ｂを備えたことで、以下の効果が得られる。第一傾斜部７ｂと電源部４の下面との間に隙間ができ、電源部４の下面のうちで空気に触れる領域が拡大する。ヒートシンク６からの上昇気流が第一傾斜部７ｂに沿って流れることで、当該上昇気流が電源部４の周囲に効率良く導かれる。これらのことから、電源部４をより良好に冷却できる。
【００２８】
本実施の形態では、上から見たときに、以下のようになる。電源部４と第一傾斜部７ｂとが交差する。第一傾斜部７ｂは、図２中の上下方向を長手方向とする形状を有する。電源部４の長手軸と第一傾斜部７ｂの長手軸とが交差する。上記の構成によれば、電源部４の冷却効果をさらに向上できる。
【００２９】
第二傾斜部７ｃは、上から見たときに電源部４と重なりを持たない位置にある。第二傾斜部７ｃは、平坦部７ａとの境界部分７ｅから斜め下に向かって傾斜する。本実施の形態であれば、天板部７が第二傾斜部７ｃを備えたことで、ヒートシンク６からの上昇気流の動向を良好に制御できる。
【００３０】
図３は、照明装置１００の斜視図である。図３に示す照明装置１００は、実施の形態１の照明装置１Ａが備える第一照明ユニット２または第二照明ユニット３と同じ構成を有する照明ユニットを単体で備える。照明装置１００は、電源部４、光放射部５、ヒートシンク６、天板部７、フレーム８、及び支持部材１２を備える。照明装置１００が備える電源部４、光放射部５、ヒートシンク６、天板部７、及びフレーム８は、照明装置１Ａの第一照明ユニット２及び第二照明ユニット３の各々が備えるものと同じである。
【００３１】
支持部材１２は、フレーム８を支持する。支持部材１２は、円弧状に湾曲した長孔１２ａ及び取付面１２ｂを有する。ボルト１０が長孔１２ａを通ってフレーム８のネジ孔に対して締め付けられることで、支持部材１２がフレーム８に固定されている。支持部材１２は、取付面１２ｂを天井等の面に接触させた状態で天井等に対して固定される。図３の状態では、取付面１２ｂが天板部７の平坦部７ａに対して平行である。天井等の面が水平である場合には、図３の状態で照明装置１００を天井等の面に対して固定すればよい。取付面１２ｂが天板部７の平坦部７ａに対して斜めになる姿勢で支持部材１２をフレーム８に固定することもできる。すなわち、図３の状態からボルト１０を緩め、長孔１２ａに沿ってボルト１０が相対的に移動するように支持部材１２を傾けた後、ボルト１０を再び締め付けることで、取付面１２ｂが天板部７の平坦部７ａに対して斜めになる。天井等の面が傾斜している場合には、その傾斜に合わせて支持部材１２の角度を変えることで、照明装置１００を適切な角度で設置できる。
【００３２】
図３に示す照明装置１００では、電源部４は、天板部７の平坦部７ａの上にある部位と、第一傾斜部７ｂの上にある部位と、第二傾斜部７ｃの上にある部位とを備える。このような構成により、電源部４の下面と、第一傾斜部７ｂ及び第二傾斜部７ｃとの間に隙間ができ、電源部４の下面に空気が触れるので、電源部４を良好に冷却できる。
【００３３】
図４は、照明装置１００の斜視図である。図４に示す照明装置１００は、図３に示す照明装置１００に比べて、電源部４の配置が異なること以外は同じである。図４に示す照明装置１００では、電源部４は、その全体が天板部７の平坦部７ａの上にある。照明装置１００における電源部４は、図４に示す向きで配置されてもよい。
【００３４】
図５は、図３に示す照明装置１００の下面図である。図６は、図３に示す照明装置１００の分解斜視図である。図５及び図６に示すように、本実施の形態における光放射部５は、光源部５ａ、リフレクター５ｂ、及びカバーガラス５ｃを備える。リフレクター５ｂは、光源部５ａから発せられた光の少なくとも一部を反射させる。光源部５ａから発せられた光は、カバーガラス５ｃを透過して、外部空間へ放射される。カバーガラス５ｃを備えたことで、光源部５ａ及びリフレクター５ｂに汚れが付着することを防止できる。本実施の形態における光放射部５は、４個の光源部５ａを備える。光放射部５が備える光源部５ａの数は、これに限定されない。光放射部５が備える光源部５ａの数は、１個でもよいし、４個以外の複数個でもよい。
【００３５】
図７は、実施の形態１における光源部５ａの斜視図及び分解斜視図である。図７中の右側は光源部５ａの分解斜視図であり、図７中の左側は組み立てた状態の光源部５ａの斜視図である。光源部５ａは、図７中で上に向かって光を放射する。図７に示すように、本実施の形態における光源部５ａは、発光素子５ｄ、熱伝導性材料５ｅ、第一ホルダー５ｆ、及び第二ホルダー５ｇを備える。
【００３６】
本実施の形態における発光素子５ｄは、発光ダイオード（ＬＥＤ）を備える。本実施の形態における発光素子５ｄは、チップ・オン・ボード（ＣＯＢ）タイプのＬＥＤパッケージである。発光素子５ｄは、第一ホルダー５ｆと第二ホルダー５ｇとの間に挟まれることで保持される。ヒートシンク６のベース部６ａの下面に対して熱伝導性材料５ｅを介して第一ホルダー５ｆが接触する状態で、第一ホルダー５ｆ及び第二ホルダー５ｇがヒートシンク６に固定される。発光素子５ｄで発生した熱は、第一ホルダー５ｆ及び熱伝導性材料５ｅを通過してヒートシンク６のベース部６ａへ熱伝導する。熱伝導性材料５ｅは、例えば、熱伝導性グリス、熱伝導性シート、熱伝導性接着剤、熱伝導性両面粘着テープでもよい。
【００３７】
本発明において、発光素子５ｄは、ＣＯＢタイプのＬＥＤパッケージでなくてもよく、他の各種のものを用いてよいことは言うまでもない。例えば、発光素子５ｄは、表面実装型ＬＥＤパッケージでもよいし、砲弾型ＬＥＤパッケージでもよいし、配光レンズ付きＬＥＤパッケージでもよいし、チップ・スケール・パッケージのＬＥＤでもよい。また、発光素子５ｄは、ＬＥＤを備えるものに限らず、例えば、有機エレクトロルミネセンス（ＥＬ）素子、半導体レーザなどを備えるものでもよい。発光素子５ｄが実装された基板（図示省略）がヒートシンク６のベース部６ａの下面に取り付けられてもよい。発光素子５ｄが実装された基板（図示省略）とヒートシンク６のベース部６ａとが一体的に形成されてもよい。
【００３８】
天井等に取り付けられる照明器具では、天井等の高さなどによって、必要となる光束の大きさが異なる。図１及び図２に示す本実施の形態の照明装置１Ａは、図３等に示す照明装置１００に比べて、２倍の光束を出力できる。本実施の形態であれば、照明装置１Ａと、照明装置１００との間で、電源部４、光放射部５、ヒートシンク６、天板部７、及びフレーム８を共通化できる。このため、光束クラスの異なる照明装置を低コストで製造できる。
【００３９】
実施の形態２．
次に、図８から図１１を参照して、実施の形態２について説明するが、上述した実施の形態１との相違点を中心に説明し、同一部分または相当部分については説明を簡略化または省略する。
【００４０】
図８は、実施の形態２の照明装置１Ｂを示す斜視図である。図９は、実施の形態２の照明装置１Ｂを示す上面図、すなわち上から見た図である。図１０及び図１１は、実施の形態２の照明装置１Ｂを示す断面側面図である。図１０及び図１１は、ヒートシンク６のフィン６ｂに平行な平面で照明装置１Ｂを切断した図である。図１１中の矢印は、照明装置１Ｂにおいて生じる気流の例を示す。
【００４１】
図８に示すように、実施の形態２の照明装置１Ｂは、実施の形態１の照明装置１Ａが備える二つのフレーム８に代えて、一つのフレーム８Ｂを備える。第一照明ユニット２及び第二照明ユニット３は、フレーム８Ｂによって保持される。フレーム８Ｂは、第一照明ユニット２の光源部５ａ及びヒートシンク６と、第二照明ユニット３の光源部５ａ及びヒートシンク６とを保持する。本実施の形態であれば、第一照明ユニット２及び第二照明ユニット３を一つのフレーム８Ｂで保持することで、剛性を高くできる。
【００４２】
図８に示すように、実施の形態２の照明装置１Ｂは、実施の形態１の照明装置１Ａが備える二つの天板部７に代えて、一つの天板部７Ｂを備える。天板部７Ｂは、第一照明ユニット２の天板部７と第二照明ユニット３の天板部７とが一体化したものに相当する。本実施の形態であれば、第一照明ユニット２の天板部７と第二照明ユニット３の天板部７とが一体化した天板部７Ｂを備えたことで、剛性を高くできる。図９に示すように、天板部７Ｂは、第一照明ユニット２の天板部７と、第二照明ユニット３の天板部７との間を連結する連結部７ｇを備える。連結部７ｇは、通気部１１及び第一傾斜部７ｂの両側にそれぞれ形成されている。天板部７Ｂは、フレーム８Ｂに固定されている。
【００４３】
本実施の形態２では、電源部４は、複数のフィン４ｄを備える。フィン４ｄは、電源部４の外面にて突出する。本実施の形態であれば、電源部４がフィン４ｄを備えたことで、電源部４の外表面積が大きくなるので、電源部４をより良好に冷却できる。
【００４４】
図８に示すように、実施の形態２の照明装置１Ｂは、実施の形態１の照明装置１Ａが備える支持部材９に代えて、支持部材１３を備える。支持部材１３は、フレーム８Ｂを支持する。支持部材１３は、円弧状に湾曲した長孔１３ａ及び取付面１３ｂを有する。ボルト１０が長孔１３ａを通ってフレーム８Ｂのネジ孔に対して締め付けられることで、支持部材１３がフレーム８Ｂに固定されている。支持部材１３は、取付面１３ｂを天井等の面に接触させた状態で天井等に対して固定される。図８の状態では、取付面１３ｂが天板部７の平坦部７ａに対して平行である。天井等の面が水平である場合には、図８の状態で照明装置１Ｂを天井等の面に対して固定すればよい。取付面１３ｂが天板部７の平坦部７ａに対して斜めになる姿勢で支持部材１３をフレーム８Ｂに固定することもできる。すなわち、図３の状態からボルト１０を緩め、長孔１３ａに沿ってボルト１０が相対的に移動するように支持部材１３を傾けた後、ボルト１０を再び締め付けることで、取付面１３ｂが天板部７の平坦部７ａに対して斜めになる。天井等の面が傾斜している場合には、その傾斜に合わせて支持部材１３の角度を変えることで、照明装置１Ｂを適切な角度で設置できる。
【００４５】
図８に示すように、天板部７は、第二傾斜部７ｃ、開口部７ｈ及び開口部７ｉを備える。第二傾斜部７ｃは、平坦部７ａに対して傾斜している。開口部７ｈ及び開口部７ｉは、空気が通過可能な孔または隙間である。開口部７ｈ及び開口部７ｉを空気が通過することで、ヒートシンク６の周囲の空気がより円滑に流れることができ、ヒートシンク６による放熱効果をより向上できる。上から見たときに、第二傾斜部７ｃと開口部７ｈとは、重なりを有する。これにより、以下の効果が得られる。開口部７ｈを通過する空気が、第二傾斜部７ｃに沿って流れることで、気流を円滑に案内できる。照明装置１Ｂの上から降りかかる埃あるいは油分等を第二傾斜部７ｃで受けることで、その埃あるいは油分等が開口部７ｈからヒートシンク６側へ入り込むことを防止できる。
【００４６】
図１０に示すように、ヒートシンク６が備える複数のフィン６ｂのうちの少なくとも一部のフィン６ｂは、ベース部６ａの外縁より外側へ突出した第一突出部６ｃ及び第二突出部６ｄを備える。本実施の形態であれば、ヒートシンク６が第一突出部６ｃ及び第二突出部６ｄを備えることで、以下の効果が得られる。ベース部６ａより低い位置にある空気が第一突出部６ｃ及び第二突出部６ｄの周囲へ容易に流入できるので、フィン６ｂの周囲の空気がより円滑に流れることができ、ヒートシンク６による放熱効果をより向上できる。
【００４７】
図９に示すように、上から見たときに、少なくとも一部の第一突出部６ｃと通気部１１とが重なりを有する。これにより、第一突出部６ｃの熱で加熱された空気が上昇気流となって通気部１１を通過して電源部４の周囲へ流れる。その結果、電源部４をより良好に冷却できる。なお、図９では、支持部材１３については、途中の位置で切断した断面図としている。このため、図９には、支持部材１３の上面が表れていない。
【００４８】
図１０に示すように、第一照明ユニット２のヒートシンク６のベース部６ａと、第二照明ユニット３のヒートシンク６のベース部６ａとの隙間の距離Ｌ１は、通気部１１の幅Ｌ２以上であることが望ましい。このようにすることで、以下の効果が得られる。照明装置１Ｂの上から降りかかって通気部１１を通過した埃あるいは油分等がベース部６ａの上面に落ちることを確実に抑制できる。それゆえ、ベース部６ａの上面に汚れが堆積することをより確実に抑制できる。第一照明ユニット２のヒートシンク６のベース部６ａと、第二照明ユニット３のヒートシンク６のベース部６ａとの隙間を通る空気の流れを十分に大きくでき、ヒートシンク６による放熱効果をより向上できる。
【００４９】
天板部７の開口部７ｉは、フィン６ｂの少なくとも一部の第二突出部６ｄの鉛直上方にある。これにより、以下の効果が得られる。第二突出部６ｄの熱で加熱された空気が上昇気流となって開口部７ｉを通過する。このため、フィン６ｂの周囲の空気がより円滑に流れることができ、ヒートシンク６による放熱効果をより向上できる。照明装置１Ｂの上から降りかかって開口部７ｉを通過した埃あるいは油分等がベース部６ａの上面に落ちることを確実に抑制できる。それゆえ、ベース部６ａの上面に汚れが堆積することをより確実に抑制できる。
【００５０】
実施の形態３．
次に、図１２を参照して、実施の形態３について説明するが、上述した実施の形態２との相違点を中心に説明し、同一部分または相当部分については説明を簡略化または省略する。
【００５１】
図１２は、実施の形態３の照明装置１Ｃを示す斜視図である。図１２に示す実施の形態３の照明装置１Ｃは、実施の形態２の照明装置１Ｂと比べて、第一照明ユニット２と第二照明ユニット３との双方に電力を供給する一つの電源部４を備える点、電源部４がフィン４ｄを備えない点、ヒートシンク６のフィン６ｂが第一突出部６ｃ及び第二突出部６ｄを備えない点、天板部７が開口部７ｉを備えない点、の四点が異なる。その他の点については、実施の形態２と同様であるので、これ以上の説明を省略する。
【００５２】
実施の形態４．
次に、図１３を参照して、実施の形態４について説明するが、上述した実施の形態２との相違点を中心に説明し、同一部分または相当部分については説明を簡略化または省略する。
【００５３】
図１３は、実施の形態４の照明装置１Ｄを示す斜視図である。図１３に示す実施の形態４の照明装置１Ｄは、実施の形態２の照明装置１Ｂと比べて、第一照明ユニット２と第二照明ユニット３との双方に電力を供給する一つの電源部４を備える点、ヒートシンク６のフィン６ｂが第一突出部６ｃ及び第二突出部６ｄを備えない点、天板部７が開口部７ｉを備えない点、の三点が異なる。その他の点については、実施の形態２と同様であるので、これ以上の説明を省略する。
【符号の説明】
【００５４】
１Ａ，１Ｂ，１Ｃ，１Ｄ  照明装置、  ２  第一照明ユニット、  ３  第二照明ユニット、  ４  電源部、  ４ａ  第一部位、  ４ｂ  第二部位、  ４ｃ  第三部位、  ４ｄ  フィン、  ５  光放射部、  ５ａ  光源部、  ５ｂ  リフレクター、  ５ｃ  カバーガラス、  ５ｄ  発光素子、  ５ｅ  熱伝導性材料、  ５ｆ  第一ホルダー、  ５ｇ  第二ホルダー、  ６  ヒートシンク、  ６ａ  ベース部、  ６ｂ  フィン、  ６ｃ  第一突出部、  ６ｄ  第二突出部、  ７，７Ｂ  天板部、  ７ａ  平坦部、  ７ｂ  第一傾斜部、  ７ｃ  第二傾斜部、  ７ｄ，７ｅ  境界部分、  ７ｇ  連結部、  ７ｈ，７ｉ  開口部、  ８，８Ｂ  フレーム、  ９  支持部材、  ９ａ  第一支持部、  ９ｂ  第二支持部、  ９ｃ  連結部、  １０  ボルト、  １１  通気部、  １２  支持部材、  １２ａ  長孔、  １２ｂ  取付面、  １３  支持部材、  １３ａ  長孔、  １３ｂ  取付面、  １００  照明装置
【図１】
0006260644.tif 000002
【図２】
0006260644.tif 000003
【図３】
0006260644.tif 000004
【図４】
0006260644.tif 000005
【図５】
0006260644.tif 000006
【図６】
0006260644.tif 000007
【図７】
0006260644.tif 000008
【図８】
0006260644.tif 000009
【図９】
0006260644.tif 000010
【図１０】
0006260644.tif 000011
【図１１】
0006260644.tif 000012
【図１２】
0006260644.tif 000013
【図１３】
0006260644.tif 000014